(57)【特許請求の範囲】
【請求項１】
外周面にねじ部が形成された水栓取付足を下部に備えた水栓本体を有する水栓を、台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に水栓取付板部の上方から取付けるための取付部材を有し、この取付部材が、前記貫通孔に挿通可能な大きさで、水栓取付足の前記外周面に螺着される弾性材料よりなるリング状のクリップと、このクリップより先に水栓取付足に挿入され、次いでクリップが水栓取付足に挿入された仮止め状態から、前記貫通孔を介して水栓取付板部下方に位置されたクリップを回動させることで締付状態に移行させる、水栓取付足よりやや大径の中央穴を有する回動部材を備えたアダプターとよりなり、更に、クリップは、上端外周面から外方斜め上方向に延びる上開き状の複数の羽根を有する一方、アダプターは、前記回動部材における前記貫通孔に挿通可能な位置に複数の脚を有し、しかも、クリップには、水栓取付足に対して、アダプターおよびクリップを仮止めしたときに前記脚の下端部が嵌込まれ、この仮止め状態で前記羽根を前記外方斜め上方向から水栓取付足の軸方向の側へ変位させながら前記脚およびクリップを前記貫通孔に挿通させ、その後、水栓取付板部下方に位置したクリップの前記羽根が前記外方斜め上方向に復帰し、アダプターの締付操作によって仮止め状態から締付状態に移行したときに、前記羽根を水栓取付板部の下面に上開き状態で当接させる脚嵌込部が形成され、クリップおよびアダプターが水栓取付板部の下面側および上面側からそれぞれ水栓取付板部を押圧する形で水栓本体を水栓取付板部上に取付けてあることを特徴とする水栓取付け機構。
【請求項２】
外周面にねじ部が形成された水栓取付足を下部に備えた水栓本体を有する水栓を、台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に水栓取付板部の上方から取付けるための取付部材を有し、この取付部材が、前記貫通孔に挿通可能な大きさで、水栓取付足の前記外周面に螺着される弾性材料よりなるリング状のクリップと、このクリップより先に水栓取付足に挿入され、次いでクリップが水栓取付足に挿入された仮止め状態から、前記貫通孔を介して水栓取付板部下方に位置されたクリップを回動させることで締付状態に移行させる、水栓取付足よりやや大径の中央穴を有する回動部材を備えたアダプターとよりなり、更に、クリップは、上端外周面から外方斜め上方向に延びる上開き状の複数の羽根を有する一方、アダプターは、前記回動部材の下面で前記貫通孔に挿通可能な位置に、下方に延びる筒体を有し、しかも、この筒体の周面には、水栓取付足に対して、アダプターおよびクリップを仮止めしたときに前記各羽根が嵌込まれ、この仮止め状態で前記羽根を前記外方斜め上方向から水栓取付足の軸方向の側へ変位させながら前記筒体およびクリップを前記貫通孔に挿通させ、その後、水栓取付板部下方に位置したクリップの前記羽根が前記外方斜め上方向に復帰し、アダプターの締付操作によって仮止め状態から締付状態に移行したときに、前記羽根を水栓取付板部の下面に上開き状態で当接させる羽根嵌込孔が前記羽根の数だけ形成され、クリップおよびアダプターが水栓取付板部の下面側および上面側からそれぞれ水栓取付板部を押圧する形で水栓本体を水栓取付板部上に取付けてあることを特徴とする水栓取付け機構。
【発明の詳細な説明】
【０００１】
【発明の属する技術分野】
この発明は水栓取付け機構に関するものである。
【０００２】
【従来の技術および発明が解決しようとする課題】
例えば混合湯水の吐水管を備えた湯水混合栓本体を台所の流し台のシンク背面側に位置する水栓取付板部（以下、単に面板という）上に取付けるにあたり、従来では、図８に示すように、作業者がシンク下部に潜り込み、座パッキン６１を装着した混合栓取付足６２にパッキン６３、座金６４およびロックナット６５をこの順に嵌込みながらロックナット６５を、混合栓取付足６２の外周面に形成したねじ部６６に締付けるというふうに下からの作業を行っていたから、作業時間と手間がかかり作業性が悪く、締付けが不十分であると混合栓本体６７が緩みだすといった問題がある上に、締付け時においては混合栓本体６７の共まわりを防止するために混合栓本体６７を押さえる別の作業者が必要であった。
【０００３】
この発明は、作業者が一人で、かつ、簡易に混合栓本体を面板上に取付けることができる水栓取付け機構を提供することを目的とする。
【０００４】
【課題を解決するための手段】
上記目的を達成するために、この発明は、外周面にねじ部が形成された水栓取付足を下部に備えた水栓本体を有する水栓を、台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に水栓取付板部の上方から取付けるための取付部材を有し、この取付部材が、前記貫通孔に挿通可能な大きさで、水栓取付足の前記外周面に螺着される弾性材料よりなるリング状のクリップと、このクリップより先に水栓取付足に挿入され、次いでクリップが水栓取付足に挿入された仮止め状態から、前記貫通孔を介して水栓取付板部下方に位置されたクリップを回動させることで締付状態に移行させる、水栓取付足よりやや大径の中央穴を有する回動部材を備えたアダプターとよりなり、更に、クリップは、上端外周面から外方斜め上方向に延びる上開き状の複数の羽根を有する一方、アダプターは、前記回動部材における前記貫通孔に挿通可能な位置に複数の脚を有し、しかも、クリップには、水栓取付足に対して、アダプターおよびクリップを仮止めしたときに前記脚の下端部が嵌込まれ、この仮止め状態で前記羽根を前記外方斜め上方向から水栓取付足の軸方向の側へ変位させながら前記脚およびクリップを前記貫通孔に挿通させ、その後、水栓取付板部下方に位置したクリップの前記羽根が前記外方斜め上方向に復帰し、アダプターの締付操作によって仮止め状態から締付状態に移行したときに、前記羽根を水栓取付板部の下面に上開き状態で当接させる脚嵌込部が形成され、クリップおよびアダプターが水栓取付板部の下面側および上面側からそれぞれ水栓取付板部を押圧する形で水栓本体を水栓取付板部上に取付けてあることを特徴とする。
【０００５】
また、この発明は別の観点から、外周面にねじ部が形成された水栓取付足を下部に備えた水栓本体を有する水栓を、台所の流し台等の水栓取付板部に取付ける水栓取付け機構において、水栓取付板部に開設した貫通孔に水栓取付足を水栓取付板部上方から挿通した後水栓取付足を貫通孔において固定した状態で水栓本体を水栓取付板部上に水栓取付板部の上方から取付けるための取付部材を有し、この取付部材が、前記貫通孔に挿通可能な大きさで、水栓取付足の前記外周面に螺着される弾性材料よりなるリング状のクリップと、このクリップより先に水栓取付足に挿入され、次いでクリップが水栓取付足に挿入された仮止め状態から、前記貫通孔を介して水栓取付板部下方に位置されたクリップを回動させることで締付状態に移行させる、水栓取付足よりやや大径の中央穴を有する回動部材を備えたアダプターとよりなり、更に、クリップは、上端外周面から外方斜め上方向に延びる上開き状の複数の羽根を有する一方、アダプターは、前記回動部材の下面で前記貫通孔に挿通可能な位置に、下方に延びる筒体を有し、しかも、この筒体の周面には、水栓取付足に対して、アダプターおよびクリップを仮止めしたときに前記各羽根が嵌込まれ、この仮止め状態で前記羽根を前記外方斜め上方向から水栓取付足の軸方向の側へ変位させながら前記筒体およびクリップを前記貫通孔に挿通させ、その後、水栓取付板部下方に位置したクリップの前記羽根が前記外方斜め上方向に復帰し、アダプターの締付操作によって仮止め状態から締付状態に移行したときに、前記羽根を水栓取付板部の下面に上開き状態で当接させる羽根嵌込孔が前記羽根の数だけ形成され、クリップおよびアダプターが水栓取付板部の下面側および上面側からそれぞれ水栓取付板部を押圧する形で水栓本体を水栓取付板部上に取付けてあることを特徴とする。
【０００６】
【発明の実施の形態】
以下にこの発明の実施の形態について説明する。なお、この発明はそれによって限定されるものではない。
【０００７】
図１〜図３は、アダプターの本体を被覆部材で被覆するようにしたこの発明の第１の実施形態を示す。
図１〜図３において、１は、混合湯水の吐水管２を備えた湯水混合栓本体で、湯水の混合比と止水を含む吐水量の調節を行うレバー３が設けられている。４は筒状の水栓取付足で、前記混合栓本体１の下部に一体に設けられている。そして、この水栓取付足４を、例えば台所の流し台の水栓取付板部（以下、単に面板という）５に開設した貫通孔６に挿通した後、前記混合栓本体１が固定される。水栓取付足４の外周面にはねじ部４ａが形成されている。７，７は湯用および水用の供給管で、それぞれ混合栓本体１の底面部分に接続されている。なお、前記面板５は、例えば木製で、少なくとも上面は薄いステンレス板で覆ってある。
【０００８】
８は、弾性材料よりなるクリップで、水栓取付足４の前記ねじ部４ａに螺着するねじ部８ａを内周面に有するリング状のナット部材１０と、このナット部材１０の上端外周面ｍから外方斜め上方向に延びる上開き状の複数の羽根９とからなる。前記ナット部材１０は、上端外周面ｍに径方向に延びる環状外フランジ１１を有し、この外フランジ１１を含む形の外径Ｐ（図３（Ａ）参照）が貫通孔６の内径よりわずかに小さく設定されてナット部材１０が貫通孔６に挿通可能に構成されている。この場合、外フランジ１１には、クリップ８および後述するアダプター１２を水栓取付足４に仮止めしたときにアダプター１２の脚１３を上方から挿入することで脚１３の下端部１３ａが嵌込まれる脚嵌込部としての切欠１４が、所定間隔を有して複数形成されている。そして、この切欠１４によって、外フランジ１１は、複数の正面視Ｔ形状のフランジ部分１５で構成され、各フランジ部分１５の上端面に前記羽根９が位置する。
【０００９】
一方、アダプター１２は、外周面ｎが六角形状の肉厚の回動部材２０と、クリップ８の前記切欠１４に嵌込む複数の前記脚１３とで構成される。更に、アダプター１２は、前記貫通孔６より小さくかつ水栓取付足４よりやや大径の中央穴１６を有する。このアダプター１２は、クリップ８より先に水栓取付足４に挿入され、次いでクリップ８が水栓取付足４に挿入された仮止め状態から、貫通孔６を介して面板５下方に位置する前記クリップ８を回動させることで締付状態に移行させるよう機能する。そして、前記回動部材２０は、前記貫通孔６に挿入不可能な大きさを有する。更に、この実施形態では、回動部材２０の外周面ｎに環状溝２１が形成されている。
【００１０】
そして、この実施形態では、水栓本体１を面板５上に取付けた場合、回動部材２０が見えるのを回避するために、回動部材２０を被覆する被覆部材２２を設けている。この被覆部材２２にはねじ穴２２ａが形成されており、図１に二点鎖線で示すように、実線で示した被覆部材２２を面板５の上面５ａに載置したときに、ビス２３をねじ穴２２ａに螺着することでビス先端部２３ａが回動部材２０の環状溝２１に位置する。
【００１１】
２４および２５は、それぞれシールパッキンである。
【００１２】
而して、図３（Ａ）に示すように、水栓取付足４に、被覆部材２２、シールパッキン２４、アダプター１２、シールパッキン２５およびクリップ８をこの順で挿入する。
【００１３】
続いて、図３（Ｂ）に示すように、水栓取付足４に対して、被覆部材２２、シールパッキン２４、アダプター１２、シールパッキン２５およびクリップ８を仮止めする。この場合、作業者は、クリップ８のナット部材１０を水栓取付足４の先端位置のねじ部４ａに螺着するとともに、クリップ８より上方に位置するアダプター１２を回動操作してアダプター１２の脚１３の下端部１３ａがクリップ８の切欠１４に嵌込む。これにより、仮止めした状態となる。
【００１４】
続いて、図３（Ｃ）に示すように、前記仮止め状態で、面板５上方から供給管７，７、仮止め状態のアダプター１２の脚１３、クリップ８および水栓取付足４を貫通孔６に挿通し、更に、クリップ８を面板５の下面５ｂ側に位置させる。この挿通時には、クリップ８の羽根９が前記外方斜め上方向から水栓取付足４の軸方向の側へ変位することで、クリップ８は容易に貫通孔６を挿通する。つまり、クリップ８は弾性材料よりなっているので、貫通孔６に挿通する前は複数の羽根９が上開き状態にあっても、挿通時には、羽根９にＡで示す方向の力が羽根９に働くことにより、羽根９は変形し貫通孔６の壁を摺動する形で貫通孔６を通過する。そして、通過後は羽根９は挿通前と同様の上開き状態に戻る。この場合、羽根９は面板５の下面５ｂにその先端部９ａが当接する。
【００１５】
そして、図３（Ｄ）に示すように、アダプター１２の回動部材２０の締付具Ｋによる締付操作によって仮止め状態から締付状態に移行する。この場合、回動部材２０を締付方向Ｆに回動させると、アダプター１２の脚１３を介してクリップ８も同方向Ｆに回動しながら水栓取付足４の下端部から上昇する。つまり、切欠１４に嵌込んだ脚１３を介して回動部材２０とクリップ８は共回りする。この上昇により、羽根９は外方に更に開いて面板５の下面５ｂとの当接面積が増大し、抜け止め状態となる。その結果、クリップ８およびアダプター１２が面板５の下面５ｂ側および上面５ａ側からそれぞれ面板５を押圧する形で混合栓本体１を面板５上に強固に取付けできる。
【００１６】
このように、混合栓本体１の面板５上への取付けを、クリップ８およびアダプター１２等の部材を仮止めした状態で面板５上方から行える。また、被覆部材２２、シールパッキン２４、アダプター１２、シールパッキン２５およびクリップ８を水栓取付足４に挿通するだけで簡単に仮止めできるとともに、クリップ８を面板５の下面５ｂ側に位置させた状態で面板５上方から回動部材２０を締付けるだけの簡単な作業で混合栓本体１を面板５上に強固に取付けることができる。
【００１７】
図４は、アダプターの本体を被覆することなく混合栓本体１を面板５上に取付けできるようにしたこの発明の第２の実施形態を示す。なお、図４において、図１〜図３に示した符号と同一のものは、同一または相当物である。
【００１８】
この第２の実施形態と上記第１の実施形態との相違点は以下の通りである。すなわち、第１の実施形態が回動部材２０を被覆する被覆部材２２を設けたために、回動部材２０の外周面ｎに環状溝２１を形成し、被覆部材２２にねじ穴２２ａを形成し、更に、回動部材２０に環状溝２１を形成したのに対し、第２の実施形態では、回動部材２０に上記第１の実施形態のような環状溝２１を形成していない。
【００１９】
図５は、上記第１，２の実施形態で用いた脚嵌込部としての切欠１４の代わりに、ナット部材１０の上端外周面ｍに径方向に延びる環状外フランジ１１に所定間隔を有して複数の小径丸穴４０を設け、この丸穴４０にアダプター１２の細長の脚４１を上方から挿入することで脚４１の下端部４１ａが嵌込まれるように構成したこの発明の第３の実施形態を示す。なお、図５において、図１〜図４に示した符号と同一のものは、同一または相当物である。
【００２０】
この実施形態では、前記脚４１の外周にねじ部を設けているが、前記脚４１の外周にねじ部を設けなくてもよい。
【００２１】
図６、図７は、アダプター１２に、上記第１〜３の実施形態で用いた脚４１の代わりに筒体３０を設け、この筒体３０の周面Ｐに、リング状のクリップ８の上端外周面Ｑから外方斜め上方向に延びる上開き状の複数の羽根９が嵌込まれる羽根嵌込孔３１を形成し、それによって、アダプター１２の回動部材２０を締付方向Ｆとは反対の解除方向Ｒに回動させる水栓本体１および水栓取付足４の交換時に、クリップ８を面板５下方のシンク下部内に落下させることなくアダプター１２とともに面板５上方に容易に取り出せるように構成したこの発明の第４の実施形態を示す。なお、この実施形態では図１で示す第１の実施形態の被覆部材２２を用いていない。また、図６、図７において、図１〜図５に示した符号と同一のものは、同一または相当物である。
【００２２】
この場合、前記筒体３０は、アダプター１２の回動部材２０の下面Ｈで貫通孔６に挿通可能な位置に、下方に延びる状態で設けられている。そして、この筒体３０の周面Ｐには、各羽根９が嵌込まれる羽根嵌込孔３１が形成されている。一方、クリップ８の外周面Ｍは上記第１〜３の実施形態で示したような外フランジ１１に相当するものを持っていない。すなわち、この第４の実施形態のクリップ８は極めてシンプルな構造を有し、外フランジ１１のような複雑な構造を持たないから容易に成形でき、歩留りもよい。
【００２３】
而して、水栓取付足４に、シールパッキン２４、アダプター１２、シールパッキン２５およびクリップ８をこの順で挿入した後、図７（Ａ）に示すように、水栓取付足４に対して、シールパッキン２４、アダプター１２、シールパッキン２５およびクリップ８を仮止めする。この場合、クリップ８の各羽根９がアダプター１２に設けた筒体３０の羽根嵌込孔３１に嵌込まれている。
【００２４】
続いて、図７（Ｂ）に示すように、前記仮止め状態で、面板５上方から供給管７，７、仮止め状態のアダプター１２の筒体３０、クリップ８および水栓取付足４を貫通孔６に挿通し、更に、クリップ８を面板５の下面５ｂ側に位置させる。この挿通時には、クリップ８の羽根９が前記外方斜め上方向から水栓取付足４の軸方向の側へ変位することで、クリップ８は容易に貫通孔６を挿通する。
【００２５】
そして、図７（Ｃ）に示すように、アダプター１２の回動部材２０の締付具Ｋによる締付操作によって仮止め状態から締付状態に移行する。この場合、回動部材２０を締付方向Ｆに回動させると、前記羽根嵌込孔３１も回動するので、羽根嵌込孔３１に嵌込まれた各羽根９を介してクリップ８も同方向Ｆに回動しながら水栓取付足４の下端部から上昇する。つまり、羽根嵌込孔３１に嵌込んだ羽根９を介して回動部材２０とクリップ８は共回りする。この上昇により、羽根９は外方に更に開いて面板５の下面５ｂとの当接面積が増大し、抜け止め状態となる。その結果、クリップ８およびアダプター１２が面板５の下面５ｂ側および上面５ａ側からそれぞれ面板５を押圧する形で混合栓本体１を面板５上に強固に取付けできる。この場合、クリップ８の下端部３３はアダプター１２の筒体３０の下端部３０ａよりも上側に位置する。
【００２６】
ところで、水栓本体１および水栓取付足４を交換する場合、回動部材２０を締付方向Ｆとは反対の解除方向Ｒに回動させると、図７（Ｄ）に示すように、クリップ８は水栓取付足４のねじ部４ａに沿って下降する。この下降に伴い、羽根９が前記外方斜め上方向から水栓取付足４の軸方向の側へ変位して各羽根９が羽根嵌込孔３１から抜け出ることになる。そのため、羽根９が羽根嵌込孔３１から抜け出た後は、アダプター１２が解除方向Ｒに回動してもクリップ８は回動しなくなり、羽根９の外面が羽根嵌込孔３１の直下部３６（図６参照）の内面に当接しながら、クリップ８は水栓取付足４のねじ部４ａに螺着した状態となる。この場合、クリップ８の下端部３３はアダプター１２の筒体３０の下端部３０ａよりも下側に位置している。したがって、水栓本体１および水栓取付足４の交換時には、回動部材２０を解除方向Ｒに回動させるだけで、クリップ８を面板５下方のシンク下部内に落下させることなくアダプター１２とともに面板５上方に容易に取り出せることができる。
【００２７】
なお、水栓本体１と水栓取付足４を別体に形成してもよい。
【００２８】
【発明の効果】
以上説明したように、この発明によれば、作業者は一人で水栓の取付けを行える。また、取付け作業時間の大幅な短縮が図れる。更に、面板上からの作業なので、水栓を確実に取付けできるとともに、作業者を特定しなくても容易に取付けできる。しかも、栓本体および水栓取付足の交換時には、回動部材を解除方向に回動させるだけで、クリップを面板下方のシンク下部内に落下させることなくアダプターとともに面板上方に容易に取り出せることができる。また、クリップとアダプターの二つの取付部材ですむ利点も有する。
【図面の簡単な説明】
【図１】この発明の第１の実施形態における取付部材の締付状態を示す構成説明図である。
【図２】上記実施形態を示す分解斜視図である。
【図３】（Ａ），（Ｂ），（Ｃ），（Ｄ）は、上記第１の実施形態における水栓の取付手順を示す図である。
【図４】この発明の第２の実施形態を示す分解斜視図である。
【図５】この発明の第３の実施形態を示す分解斜視図である。
【図６】この発明の第４の実施形態を示す分解斜視図である。
【図７】（Ａ），（Ｂ），（Ｃ），（Ｄ）は、上記第４の実施形態における水栓の取付・および交換手順を示す図である。
【図８】従来の水栓取付手順を示す分解斜視図である。
【符号の説明】
１…水栓本体、４…水栓取付足、４ａ，８ａ…ねじ部、５…面板、６…貫通孔、８…クリップ、９…羽根、１０…ナット部材、１２…アダプター、１３…脚、１４…脚嵌込部としての切欠、１６…中央穴、２０…回動部材、３０…筒体、３１…羽根嵌込孔。
【図１】
0004138964.tif 000002
【図２】
0004138964.tif 000003
【図３】
0004138964.tif 000004
【図４】
0004138964.tif 000005
【図５】
0004138964.tif 000006
【図６】
0004138964.tif 000007
【図７】
0004138964.tif 000008
【図８】
0004138964.tif 000009